(57)【要約】【課題】洗濯物を干すことができると共に、シート材を大きく傾けて十分な遮蔽作用を得ることができるオーニングを提供する。【解決手段】オーニング１は、一対の支柱１０と、支柱間に横架された長棒状で軸心周りに回転自在な芯材２１と、芯材の回転に伴い芯材に巻回され、または繰り出されるシート材２０と、シート材の前端部近傍で芯材と平行に装着されたシート端支持バー２２と、シート端支持バーの両端部を一対の支柱に支持させる一対の部材であって、それぞれ一端がシート端支持バーの端部の一方に回動自在に連結されると共に、他端が支柱の一方に回動自在に連結された一対のアーム部材４０と、一対の支柱のそれぞれに設けられて一対をなし、それぞれ芯材の横架位置及びアーム部材の連結位置との間で支柱を挿通させた筒状部５１、及び筒状部に外接すると共に開口方向を筒状部と直交させた環状部５２を備える物干し竿支持部５０とを具備している。【選択図】図１
0003168864.tif 000002
【実用新案登録請求の範囲】
【請求項１】
それぞれ長さが調整可能であり、設置面と建物の張出部との間に突っ張り式に立設される一対の支柱と、
一対の該支柱間に横架された、長棒状で軸心周りに回転自在な芯材と、
該芯材の一方向への回転に伴い前記芯材に巻回されると共に、前記芯材の他方向への回転に伴い繰り出されるシート材と、
前記シート材に、前記芯材側とは反対側の端部近傍で前記芯材と平行に装着された長棒状のシート端支持バーと、
該シート端支持バーの両端部を一対の前記支柱に支持させる一対の長棒状の部材であって、それぞれ一端が前記シート端支持バーの端部の一方に、前記シート端支持バーの軸心周りに回動自在に連結されると共に、他端が前記支柱の一方に、前記シート端支持バーの軸心と平行な軸周りに回動自在に連結された、一対のアーム部材と、
一対の前記支柱のそれぞれに設けられて一対をなしており、それぞれ前記芯材の横架位置及び前記アーム部材の連結位置との間で前記支柱を挿通させた筒状部、及び、該筒状部に外接すると共に開口方向を前記筒状部と直交させた環状部を備える物干し竿支持部と
を具備することを特徴とするオーニング。
【請求項２】
一対の前記物干し竿支持部の前記環状部に挿通された物干し竿と、
該物干し竿を前記環状部より外側で内嵌させた、外径が前記環状部の内径より大である抜け止めリングと
を更に具備することを特徴とする請求項１に記載のオーニング。
【考案の詳細な説明】
【技術分野】
【０００１】
本考案は、日よけ、雨よけ、目隠し等に用いられるオーニングに関するものである。
【背景技術】
【０００２】
建物の窓部において、外壁または窓枠に支持させたアーム部材を屋外に向かって張り出させ、これにシート材を架け渡して庇状としたオーニングが、従前より使用されている。また、アーム部材の角度を変えることにより、シート材の傾斜角度を可変としたオーニングも実施されている。このようなオーニングを設置することにより、日光や雨、あるいは屋外からの視線を、遮ることができる。また、外断熱作用により室内における冷暖房効率を高めることができるため、近年では、省エネルギーに資するという点からも、オーニングが着目されている。
【０００３】
一方、窓部に近い屋外のスペースを、洗濯物を干すスペースとして使用している人も多い。ところが、従来のオーニングを設置した場合は、物干し竿を窓外に横架させることができなかった。また、オーニングより高さの低い物干しスタンドを、シート材の下方の空間に設置することは可能ではあるが、そのようにすると、物干しスタンドの存在によってシート材の傾きが制限され、窓を覆うようにシート材を大きく傾けることができない。そのため、オーニングによる遮蔽作用が制限されるという問題があった。
【考案の概要】
【考案が解決しようとする課題】
【０００４】
そこで、本考案は上記の実情に鑑み、洗濯物を干すことができると共に、シート材を大きく傾けて十分な遮蔽作用を得ることができるオーニングの提供を、課題とするものである。
【課題を解決するための手段】
【０００５】
上記課題を解決するため、本考案にかかるオーニングは、
「それぞれ長さが調整可能であり、設置面と建物の張出部との間に突っ張り式に立設される一対の支柱と、
一対の該支柱間に横架された、長棒状で軸心周りに回転自在な芯材と、
該芯材の一方向への回転に伴い前記芯材に巻回されると共に、前記芯材の他方向への回転に伴い繰り出されるシート材と、
前記シート材に、前記芯材側とは反対側の端部近傍で前記芯材と平行に装着された長棒状のシート端支持バーと、
該シート端支持バーの両端部を一対の前記支柱に支持させる一対の長棒状の部材であって、それぞれ一端が前記シート端支持バーの端部の一方に、前記シート端支持バーの軸心周りに回動自在に連結されると共に、他端が前記支柱の一方に、前記シート端支持バーの軸心と平行な軸周りに回動自在に連結された、一対のアーム部材と、
一対の前記支柱のそれぞれに設けられて一対をなしており、それぞれ前記芯材の横架位置及び前記アーム部材の連結位置との間で前記支柱を挿通させた筒状部、及び、該筒状部に外接すると共に開口方向を前記筒状部と直交させた環状部を備える物干し竿支持部と
を具備する」ものである。
【０００６】
上記構成により、シート端支持バーは一対のアーム部材によって一対の支柱に支持されるため、シート材が繰り出された状態では、シート材が庇状に張り出す。その際、芯材の回転によりシート材が繰り出される長さが変化すると、その長さに応じてアーム部材の傾きが変化し、シート材で形成される庇の傾斜角度が変化する。
【０００７】
そして、本考案では、一対の支柱に物干し竿支持部が設けられているため、ここに物干し竿を支持させて洗濯物を干すことができる。この物干し竿支持部は、一対の支柱のそれぞれにおいて、芯材の横架位置とアーム部材の連結位置との間に設けられているため、シート材の下方空間を有効に利用して洗濯物を干すことができると共に、傾斜させたシート材の遮蔽作用により洗濯物を目隠しすることができる。
【０００８】
特に、本考案では、物干し竿支持部が、支柱を挿通させる筒部と物干し竿を挿通させる環状部を備え、筒部と環状部が「外接」している構成である。そのため、環状部に挿通された物干し竿は、支柱とごく近接して横架することになる。すなわち、本考案では、物干し竿を架け渡すための部分が、支柱より前方（シート材の張り出し方向）に突出していない。従って、物干し竿の存在によってシート材の傾きが制限されにくく、洗濯物を干しながら、シート材を大きく傾けて十分な遮蔽作用を得ることができる。
【０００９】
本考案にかかるオーニングは、上記構成に加え、
「一対の前記物干し竿支持部の前記環状部に挿通された物干し竿と、
該物干し竿を前記環状部より外側で挿通させた、外径が前記環状部の内径より大である抜け止めリングとを」具備するものとすることができる。
【００１０】
本構成では、オーニング自体が備えている物干し竿を使用して、洗濯物を干すことができる。加えて、本構成では、環状部の外側で物干し竿を内嵌させた抜け止めリングを備えており、その外径は環状部の内径より大きいため、物干し竿が環状部から抜け出ることがない。従って、例えば、洗濯物が風を受けるなどに起因して物干し竿が軸方向に移動しても、物干し竿が環状部から外れることがなく、物干し竿支持部によって安定的に支持される。
【考案の効果】
【００１１】
以上のように、本考案によれば、洗濯物を干すことができると共に、シート材を大きく傾けて十分な遮蔽作用を得ることができるオーニングを提供することができる。
【図面の簡単な説明】
【００１２】
【図１】本考案の一実施形態のオーニングの斜視図である。
【図２】図１のオーニングにおいて物干し竿を支持する構成の分解斜視図である。
【図３】図１のオーニングの動作を説明する図である。
【図４】図２に引き続き、図１のオーニングの動作を説明する図である。
【考案を実施するための形態】
【００１３】
以下、本考案の一実施形態であるオーニング１について、図１乃至図４に基づいて説明する。
オーニング１は、それぞれ長さが調整可能であり、設置面Ｇと建物の張出部Ｒとの間に突っ張り式に立設される一対の支柱１０と、
一対の支柱１０間に横架された、長棒状で軸心周りに回転自在な芯材２１と、
芯材２１の一方向への回転に伴い芯材２１に巻回されると共に、芯材２１の他方向への回転に伴い繰り出されるシート材２０と、
シート材２０に、芯材２１側とは反対側の端部近傍で芯材２１と平行に装着された長棒状のシート端支持バー２２と、
シート端支持バー２２の両端部を一対の支柱１０に支持させる一対の長棒状の部材であって、それぞれ一端がシート端支持バー２２の端部の一方に、シート端支持バー２２の軸心周りに回動自在に連結されると共に、他端が支柱１０の一方に、シート端支持バー２２の軸心と平行な軸周りに回動自在に連結された、一対のアーム部材４０と、
一対の支柱１０のそれぞれに設けられて一対をなしており、それぞれ芯材２１の横架位置及びアーム部材４０の連結位置との間で支柱１０を挿通させた筒状部５１、及び、筒状部５１に外接すると共に開口方向を筒状部５１と直交させた環状部５２を備える物干し竿支持部５０と
を具備している。
【００１４】
また、本実施形態のオーニング１は、一対の物干し竿支持部５０の環状部５２に挿通された物干し竿５８と、物干し竿５８を環状部５２より外側で内嵌させた、外径が環状部５２の内径より大である抜け止めリング５９とを具備している。
【００１５】
より詳細に説明すると、一対の支柱１０は、設置面側となるパイプ状の第一支柱１１と、建物の張出部側となるパイプ状の第二支柱１２を備えており、第二支柱１２の下端側が第一支柱１１に挿入され、第二支柱１２が第一支柱１１に対して相対的にスライドすることにより、支柱１０全体の長さを可変とする構成になっている。具体的には、第一支柱１１の上端近傍には、軸方向に直交する方向に貫通する孔部が設けられていると共に、第二支柱１２には、軸方向に直交する方向に貫通する孔部１２５が、軸方向に沿って複数設けられている。かかる構成により、第二支柱１２の孔部１２５と第一支柱１１の孔部との位置を合わせ、両孔部にボルト１２６を挿通してナット１２７で留め付けることにより、第一支柱１１と第二支柱１２とから一本の支柱１０を構成させることができる。また、第二支柱１２の複数の孔部１２５のうち、何れの孔部１２５を第一支柱１１の孔部と組み合わせるかの選択により、支柱１０全体の長さを調整することができる。
【００１６】
ここで、第一支柱１１の下端には、設置面と当接させる下端当接部１１０が取り付けられていると共に、第二支柱１２の上端には、建物の張出部と当接させる上端当接部１２０が取り付けられている。具体的には、下端当接部１１０は、設置面と安定的に当接させるために第二支柱１２より大径とされた大径部１１１と、大径部１１１の上面から突設され、第一支柱１１の下端と螺合する螺合部１１２とを備えている。かかる構成により、第一支柱１１に対する螺合部１１２の螺進・螺退により、支柱１０全体の長さを微調整することができる。一方、上端当接部１２０は、張出部と安定的に当接させるために第二支柱１２より大径とされた大径部１２１と、大径部１２１の底面から突設され、第二支柱１２の上端を内嵌させる嵌合筒部１２２とを備えている。
【００１７】
芯材２１は、長さが不変で非分割式の棒状部材からなり、芯材連結具３０を介して支柱１０（第二支柱１２）に取り付けられている。この芯材連結具３０は、支柱１０を挿通させる筒部３１と、筒部３１の側面から外側に向かって立ち上がった連結片３２を備えており、連結片３２には芯材２１を回転自在に挿通させる貫通孔が穿設され、この貫通孔の開口方向と筒部３１の開口方向とは直交している。また、筒部３１は、軸方向に沿って形成されたスリット３１１と、スリット３１１の両縁からそれぞれ外側に向かって立ち上がった一対の挟持片３１２を備えており、挟持片３１２のそれぞれには対向位置に貫通孔が穿設されている。
【００１８】
かかる構成により、筒部３１内に支柱１０を挿通した上で、挟持片３１２の貫通孔に挿通したボルト８１を、これと螺合するナット９１で締結すれば、支柱１０に対して芯材連結具３０を固定することができる。すなわち、ボルト８１及びナット９１の螺合によって、一対の挟持片３１２を締め付けることにより、筒部３１の弾性変形によってスリット３１１の幅が押し縮められ、筒部３１が支柱１０に安定的に取り付けられる。このようにして、一対の支柱１０にそれぞれ芯材連結具３０を取り付け、一対をなす連結片３２の貫通孔に芯材２１を挿通することにより、一対の支柱１０間に芯材２１を横架させることができる。
【００１９】
芯材２１は、操作ハンドル７０の操作により、手動で回転させる構成である。具体的には、操作ハンドル７０は、芯材２１の一端に自在継手７７を介して連結されたシャフト部７１と、シャフト部７１の端部から屈曲し、更にシャフト部７１と平行に延びる略Ｌ字形のハンドル部７２とからなる。かかる構成により、ハンドル部７２を回すことによりシャフト部７１をその軸心周りに回転させ、自在継手７７を介して芯材２１をその軸心周りに回転させることができる。
【００２０】
芯材２１には、シート材２０の一端が固着されており、他端側のシート材２０の裏面には、シート端支持バー２２を装着するための支持バー装着部２９が形成されている。ここで、支持バー装着部２９は、シート端支持バー２２を挿通させる筒状のシートが、軸方向に沿ってシート材２０の裏面に縫着または接着された構成とすることができる。
【００２１】
シート端支持バー２２は長さが不変で非分割式の棒状部材からなり、その両端には、それぞれ一本のアーム部材４０が取り付けられている。ここで、アーム部材４０の両端部には、それぞれ同一方向に開口する貫通孔が穿設されており、一方の端部の貫通孔に回転自在に挿通されたピン４１が、軸方向をシート端支持バー２２の軸心と一致させて、シート端支持バー２２の端部に留め付けられている。
【００２２】
一方、アーム部材４０の他方の端部は、アーム連結具６０を介して一対の支柱１０の一方に連結されている。ここで、アーム連結具６０の構成は、上述の芯材連結具３０の構成とほぼ同様である。すなわち、支柱１０を挿通させる筒部６１と、筒部６１の側面から外側に向かって立ち上がった一対の連結片６２を備えており、それぞれの連結片６２には貫通孔が穿設され、この貫通孔の開口方向と筒部６１の開口方向とは直交している。また、筒部６１は、軸方向に沿って形成されたスリット６１１と、スリット６１１の両縁からそれぞれ外側に向かって立ち上がった一対の挟持片６１２を備えており、挟持片６１２のそれぞれには対向位置に貫通孔が穿設されている。かかる構成により、筒部６１内に支柱１０を挿通した上で、挟持片６１２の貫通孔に挿通したボルト８２を、これと螺合するナット９２で締結すれば、支柱１０に対してアーム連結具６０を固定することができる。
【００２３】
また、一対の連結片６２の間にはアーム部材４０の他端が挟み込まれ、連結片６２の貫通孔とアーム部材４０の端部の貫通孔との位置を一致させてボルト４５を挿通し、ナット４６によって回転自在に留め付けられている。すなわち、ボルト４５の軸方向は、シート端支持バー２２の軸心と平行となっている。かかる構成により、アーム部材４０はボルト４５の軸心周りに回動可能であり、アーム部材４０とピン４１を介して連結されたシート端支持バー２２も、アーム部材４０の回動に伴ってボルト４５の軸心周りに回動する。
【００２４】
次に、物干し竿５８を支持する構成について、主に図２を用いて説明する。物干し竿支持具５０は、筒状部５１及び筒状部５１と外接した環状部５２を備えており、筒状部５１の開口方向と環状部５２の開口方向とは直交している。また、筒状部５１は、上述の芯材連結具３０及びアーム連結具６０と同様に、軸方向に沿って形成されたスリット５１１と、スリット５１１の両縁からそれぞれ外側に向かって立ち上がった一対の挟持片５１２を備えており、挟持片５１２のそれぞれには対向位置に貫通孔５１５が穿設されている。
【００２５】
このような構成により、筒状部５１内に支柱１０を挿通した上で、一対の挟持片５１２の貫通孔５１５に挿通したボルト８３を、これと螺合するナット９３で締結すれば（図１参照）、筒状部５１の弾性変形により、支柱１０に対して物干し竿支持具５０を固定することができる。ここで、物干し竿支持具５０は、支柱１０において、芯材連結具３０の取付位置とアーム連結具６０の取付位置との間に取り付けられる。
【００２６】
このようにして一対の物干し竿支持具５０が支柱１０に固定された状態で、一対の環状部５２のそれぞれに物干し竿５８の両端部の一方を挿通すれば、一対の支柱１０間に物干し竿５８が横架される。そして、本実施形態では、環状部５２の外側において、物干し竿５８に抜け止めリング５９が嵌め込まれる。この抜け止めリング５９の外径は、環状部５２の内径より大であるため、物干し竿５８が軸方向に沿って移動することに起因して、物干し竿５８の一方の端部が環状部５２から外れることが防止される。ここで、抜け止めリング５９は、ゴムなどの弾性に富んだ材料で形成し、物干し竿５８の外径より僅かに小さい内径を有するものとすれば、弾性変形させて押し広げながら物干し竿５８に嵌め込むことにより、物干し竿５８を強固に内嵌させるため、抜け止め効果が高く好適である。
【００２７】
次に、上記構成のオーニング１の動作について、図３及び図４を用いて説明する。操作ハンドル７０の操作により、シート材２０が芯材２１に巻回される方向に芯材２１を回転させると、図３（ａ）に示すように、シート端支持バー２２は芯材２１に近づく。これに伴い、アーム部材４０は、ボルト４５の軸心周りに上向きに回動する。この状態では、シート材２０により遮蔽される面積は小さく、例えば、室内に日光を多く取り入れたい場合や、物干し竿５８に干した洗濯物に日光を十分に当てたい場合などに適している。
【００２８】
操作ハンドル７０の操作により、芯材２１を反対方向に回転させると、シート材２０が前方に繰り出される。そうすると、図３（ｂ）に示すように、シート端支持バー２２はその自重によって、シート材２０が繰り出された長さに対応する角度分だけ、ボルト４５の軸心周りに下向きに回動する。これにより、図３（ａ）を図示して上述した場合に比べて、シート材２０による遮蔽作用が大きなものとなる。
【００２９】
操作ハンドル７０の操作により、芯材２１を更に同一方向に回転させると、シート材２０が更に繰り出される。これにより、図４（ａ）に示すように、アーム部材４０はボルト４５の軸心周りに更に下向きに回動するため、アーム部材４０が設置面Ｇに向かってほぼ垂下する状態とすることができる。換言すれば、シート材２０が設置面Ｇに対して垂直に近い状態となるまで、シート材２０を大きく傾けることが可能である。この状態は、シート材２０による遮蔽作用が最も大きい状態であり、例えば、物干し竿５８に干した洗濯物を目隠ししたい場合や、雨天の日に洗濯物を干したい場合に適している。
【００３０】
以上のように、本実施形態では、一対の支柱１０は、設置面Ｇと建物の張出部Ｒとの間で突っ張り式に立設させる構成であるため、取り付け工事などを要さず、手軽にオーニング１を設置することができる。また、取り付け用の金具などを、外壁や窓枠に打ち込むことができない場合であっても、オーニング１を簡易に設置することができる。
【００３１】
また、シート材２０の傾斜角度を変えるために、固定用の部材を支柱１０に沿ってスライドさせるなどの手間のかかる操作が必要なく、操作ハンドル７０で芯材２１を回転させるのみの操作で足りるため、取り扱いが極めて容易である。
【００３２】
加えて、本実施形態のオーニング１は物干し竿５８を備えているため、シート材２０によって目隠しながら、洗濯物を干すことができる。特に、本実施形態では、物干し竿支持部５０において、支柱１０に対して固定するための筒状部５１と物干し竿５８を挿通させる環状部５２とが外接している。そのため、物干し竿５８が支柱１０とごく近接して交差し、物干し竿５８がシート材２０の張り出し方向に突出しない。これにより、図４（ａ）を用いて上述したように、物干し竿５８に洗濯物を干しながら、シート材２０を大きく傾けて、洗濯物を完全に覆い隠すような遮蔽作用を得ることができる。
【００３３】
なお、洗濯物を直接物干し竿５８に掛ける場合に限らず、ハンガー等に掛けた洗濯物を物干し竿５８に吊るす場合も想定される。その場合であっても、本実施形態のオーニング１では、物干し竿５８が支柱１０にごく近接して交差する構成であるため、洗濯物が支柱１０より前方に突出する長さは、図４（ｂ）に例示するように、ハンガーＨの幅の半分程度である。そのため、この場合であっても、シート材２０を十分に大きく傾けて、十分な遮蔽作用を得ることができる。
【００３４】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３５】
例えば、上記では、操作ハンドル７０を介して手動で芯材２１を回転させる簡易な構成を例示したが、これに限定されず、モータの正逆回転により芯材を回転させる構成とすることもできる。
【００３６】
また、上記では、支持バー装着部２９を筒状のシートで構成させた場合を例示したが、これに限定されず、シート材の裏面に取り付けられた複数対の紐状部材によって支持バー装着部を構成させ、この紐状部材によってシート端支持バーを処々で留め付けるものとしても良い。
【符号の説明】
【００３７】
１  オーニング
１０  支柱
２０  シート材
２１  芯材
２２  シート端支持バー
４０  アーム部材
５０  物干し竿支持部
５１  筒状部（物干し竿支持部）
５２  環状部（物干し竿支持部）
５８  物干し竿
５９  抜け止めリング
【図１】
0003168864.tif 000003
【図２】
0003168864.tif 000004
【図３】
0003168864.tif 000005
【図４】
0003168864.tif 000006